Podtech/llm-jp-corpus-v4-ja_patent huggingface dataset:
【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
始動条件の成立により遊技者に有利な特別遊技を実行するか否かの判定を行う判定手段と、
前記判定の結果に基づいて、所定の演出手段において演出を実行する演出実行手段と、を備え、
前記演出実行手段は、
演出図柄を変動させてから停止させる変動演出を実行する変動演出実行手段と、
前記特別遊技が実行される可能性が高い第１の特別演出を実行した後に前記特別遊技が実行される可能性が前記第１の特別演出よりも高い第２の特別演出を実行するときと、前記第１の特別演出を実行した後に前記第２の特別演出を実行しないときと、がある特別演出実行手段と、
前記変動演出が実行されているときに、所定のアイテムを貯留させる貯留演出を実行するとともに、前記貯留演出において、前記アイテムを所定数まで貯留させるときと、前記アイテムを前記所定数まで貯留させないときと、がある貯留演出実行手段と、を有し、
前記変動演出実行手段は、前記変動演出において、所定のタイミングで、変動させている前記演出図柄を前記貯留演出が実行されることを示唆する特殊態様で仮停止させてから再変動させるときと、変動させている前記演出図柄を前記特殊態様とは異なる通常態様で仮停止させてから再変動させるときと、があり、
前記貯留演出実行手段は、
前記第１の特別演出が実行された後に前記第２の特別演出が実行されるとき、前記第２の特別演出が実行される前までに、前記貯留演出を実行可能であり、当該貯留演出において前記アイテムを前記所定数まで貯留可能にし、
前記第１の特別演出が実行された後に前記第２の特別演出が実行されないとき、前記第１の特別演出が終了する前までに、前記貯留演出を実行可能であり、当該貯留演出において前記アイテムを前記所定数まで貯留させず、
前記演出図柄が前記特殊態様で仮停止されることに応じて前記貯留演出を実行するときと、前記演出図柄が再変動されているときに前記貯留演出を実行するときと、があることを特徴とする遊技機。
【手続補正２】
【補正対象書類名】明細書
【補正対象項目名】０００６
【補正方法】変更
【補正の内容】
【０００６】
本発明の遊技機（１）は、始動条件の成立により遊技者に有利な特別遊技を実行するか否かの判定を行う判定手段（３０１ａ）と、前記判定の結果に基づいて、所定の演出手段（１２１）において演出を実行する演出実行手段（３２０ａ）と、を備え、前記演出実行手段は、演出図柄を変動させてから停止させる変動演出を実行する変動演出実行手段（３２０ａ）と、前記特別遊技が実行される可能性が高い第１の特別演出を実行した後に前記特別遊技が実行される可能性が前記第１の特別演出よりも高い第２の特別演出を実行するときと、前記第１の特別演出を実行した後に前記第２の特別演出を実行しないときと、がある特別演出実行手段（３２０ａ）と、前記変動演出が実行されているときに、所定のアイテムを貯留させる貯留演出を実行するとともに、前記貯留演出において、前記アイテムを所定数まで貯留させるときと、前記アイテムを前記所定数まで貯留させないときと、がある貯留演出実行手段（３２０ａ）と、を有し、  前記変動演出実行手段は、前記変動演出において、所定のタイミングで、変動させている前記演出図柄を前記貯留演出が実行されることを示唆する特殊態様で仮停止させてから再変動させるときと、変動させている前記演出図柄を前記特殊態様とは異なる通常態様で仮停止させてから再変動させるときと、があり、前記貯留演出実行手段は、  前記第１の特別演出が実行された後に前記第２の特別演出が実行されるとき、前記第２の特別演出が実行される前までに、前記貯留演出を実行可能であり、当該貯留演出において前記アイテムを前記所定数まで貯留可能にし、前記第１の特別演出が実行された後に前記第２の特別演出が実行されないとき、前記第１の特別演出が終了する前までに、前記貯留演出を実行可能であり、当該貯留演出において前記アイテムを前記所定数まで貯留させず、前記演出図柄が前記特殊態様で仮停止されることに応じて前記貯留演出を実行するときと、前記演出図柄が再変動されているときに前記貯留演出を実行するときと、があることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正書】
【提出日】平成29年5月16日(2017.5.16)
【手続補正１】
【補正対象書類名】明細書
【補正対象項目名】００２７
【補正方法】変更
【補正の内容】
【００２７】
［フラックス中のＡｌ酸化物のＡｌ2Ｏ3換算値の合計：０．０２〜０．３％］
Ａｌ酸化物は、溶接時に溶接スラグの粘性や融点を調整し、特に立向上進溶接におけるメタル垂れを防ぐ効果がある。しかし、Ａｌ酸化物のＡｌ2Ｏ3換算値の合計が０．０２％未満では、立向上進溶接でメタル垂れやすくなる。一方、Ａｌ酸化物のＡｌ2Ｏ3換算値の合計が０．３％を超えると、溶接金属中にＡｌ酸化物が過剰に残存することにより、低温靱性が低下する。従って、フラックスに含有するＡｌ酸化物のＡｌ2Ｏ3換算値の合計は０．０２〜０．３％とする。なお、Ａｌ酸化物は、フラックスからのアルミナ等から添加できる。
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
回転軸線（Ｏ）を中心として工具回転方向（Ｋ）に回転することにより被削材を切削する刃先交換式回転切削工具（２１）であって、
前記回転軸線（Ｏ）が貫く略円形の２つの側端面（２２ａ、２２ｂ）を有し、該側端面（２２ａ、２２ｂ）の周縁にインサート取付座（２３）が形成されている工具ボデー（２２）と、
前記インサート取付座（２３）に着脱自在に取り付けられる切削インサート（１）と、を備え、
前記切削インサート（１）は、
互いに対向する第１端面（２）及び第２端面（３）と、
前記第１端面（２）と前記第２端面との間に延在する周側面（１ｃｓ）と、を有し、
前記第１端面（２）と前記周側面（１ｃｓ）との交差稜線部には切れ刃（１８）が形成され、
前記切れ刃（１８）は、
前記切削インサート（１）の端面視において、その少なくとも一部が、一定の第１曲率半径を有する１つの第１曲線形状に重なるように形成されているとともに、
前記切削インサート（１）の側面視において、その少なくとも過半部分が、一定で、且つ、前記第１曲率半径と異なる第２曲率半径を有する１つの第２曲線形状に重なるように形成され、
前記切削インサート（１）の端面視において前記切れ刃（１８）を円弧とみなして該円弧を一部に有する第１円の中心（Ｂ）を定め、
前記切削インサート（１）の側面視において前記切れ刃（１８）の少なくとも過半部分を円弧とみなして該円弧を一部に有する第２円の中心（Ｃ）を定め、
前記切削インサート（１）の端面視において前記切れ刃（１８）の二等分地点（１８Ｍ）と前記第１円の中心（Ｂ）とを通る直線として表される第１平面（Ｓ）を定め、
前記回転軸線（Ｏ）に直交するとともに前記２つの側端面（２２ａ、２２ｂ）間の中央に延びる平面（２１Ｍ）を定めたとき、
前記第２円の中心（Ｃ）は、前記第１平面（Ｓ）から離間しており、
前記切削インサート（１）は、
前記第２端面（３）が前記インサート取付座（２３）の座面（２３ｃ）と当接し、
前記周側面（１ｃｓ）が前記工具回転方向（Ｋ）前方に向けられ、
前記回転軸線（Ｏ）に平行な方向における前記平面（２１Ｍ）から前記第１端面（２）までの距離が、前記工具回転方向（Ｋ）の前方側に至るにつれて漸次大きくなるように、前記インサート取付座（２３）に取り付けられている、刃先交換式回転切削工具（２１）。
【請求項２】
前記回転軸線（Ｏ）に平行な方向における前記平面（２１Ｍ）から前記座面（２３ｃ）までの距離が、前記工具回転方向（Ｋ）の前方側に至るにつれて漸次大きくなっている、請求項１に記載の刃先交換式回転切削工具（２１）。
【請求項３】
前記第２端面（３）には凹部（１７）が形成され、
前記座面（２３ｃ）には、前記凹部（１７）に入ることができる凸部（２７）が形成され、
前記凸部（２７）は、前記回転軸線（Ｏ）から離れる方向に延びるように形成されている、請求項１又は２に記載の刃先交換式回転切削工具（２１）。
【請求項４】
前記切れ刃（１８）は、前記切削インサート（１）の端面視において凸曲線形状であり、該切削インサート（１）の側面視においても凸曲線形状である、請求項１から３のいずれか一項に記載の刃先交換式回転切削工具（２１）。
【手続補正２】
【補正対象書類名】明細書
【補正対象項目名】発明の名称
【補正方法】変更
【補正の内容】
【発明の名称】刃先交換式回転切削工具
【手続補正３】
【補正対象書類名】明細書
【補正対象項目名】０００９
【補正方法】変更
【補正の内容】
【０００９】
本発明の一態様によれば、
回転軸線（Ｏ）を中心として工具回転方向（Ｋ）に回転することにより被削材を切削する刃先交換式回転切削工具（２１）であって、
前記回転軸線（Ｏ）が貫く略円形の２つの側端面（２２ａ、２２ｂ）を有し、該側端面（２２ａ、２２ｂ）の周縁にインサート取付座（２３）が形成されている工具ボデー（２２）と、
前記インサート取付座（２３）に着脱自在に取り付けられる切削インサート（１）と、を備え、
前記切削インサート（１）は、
互いに対向する第１端面（２）及び第２端面（３）と、
前記第１端面（２）と前記第２端面との間に延在する周側面（１ｃｓ）と、を有し、
前記第１端面（２）と前記周側面（１ｃｓ）との交差稜線部には切れ刃（１８）が形成され、
前記切れ刃（１８）は、
前記切削インサート（１）の端面視において、その少なくとも一部が、一定の第１曲率半径を有する１つの第１曲線形状に重なるように形成されているとともに、
前記切削インサート（１）の側面視において、その少なくとも過半部分が、一定で、且つ、前記第１曲率半径と異なる第２曲率半径を有する１つの第２曲線形状に重なるように形成され、
前記切削インサート（１）の端面視において前記切れ刃（１８）を円弧とみなして該円弧を一部に有する第１円の中心（Ｂ）を定め、
前記切削インサート（１）の側面視において前記切れ刃（１８）の少なくとも過半部分を円弧とみなして該円弧を一部に有する第２円の中心（Ｃ）を定め、
前記切削インサート（１）の端面視において前記切れ刃（１８）の二等分地点（１８Ｍ）と前記第１円の中心（Ｂ）とを通る直線として表される第１平面（Ｓ）を定め、
前記回転軸線（Ｏ）に直交するとともに前記２つの側端面（２２ａ、２２ｂ）間の中央に延びる平面（２１Ｍ）を定めたとき、
前記第２円の中心（Ｃ）は、前記第１平面（Ｓ）から離間しており、
前記切削インサート（１）は、
前記第２端面（３）が前記インサート取付座（２３）の座面（２３ｃ）と当接し、
前記周側面（１ｃｓ）が前記工具回転方向（Ｋ）前方に向けられ、
前記回転軸線（Ｏ）に平行な方向における前記平面（２１Ｍ）から前記第１端面（２）までの距離が、前記工具回転方向（Ｋ）の前方側に至るにつれて漸次大きくなるように、前記インサート取付座（２３）に取り付けられている、刃先交換式回転切削工具（２１）が提供される。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
上記構成を有する本発明の一態様によれば、切れ刃に、インボリュートカーブに非常に高い近似度を有する形状を与えることができる。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
記録媒体の搬送経路中に配置され、加熱手段を有し、前記記録媒体と接触することで前記記録媒体に熱を供給する複数の熱供給手段を備える記録媒体加熱装置において、前記加熱手段により発生した熱を少なくとも前記搬送経路近傍に留める蓄熱手段を有し、前記加熱手段により発生した熱が前記蓄熱手段によって前記記録媒体に供給されることを特徴とする記録媒体加熱装置。
【請求項２】
請求項１の記録媒体加熱装置において、前記複数の熱供給手段の有する各加熱手段の発熱量を制御する制御手段を備え、前記制御手段が、前記複数の熱供給手段のうち前記搬送経路の上流側に位置する前記熱供給手段の温度よりも、前記搬送経路の下流側に位置する前記熱供給手段の温度の方が高くなり、かつ、前記複数の熱供給手段から前記記録媒体に供給される総熱量が、任意の熱量を満たすように、前記複数の熱供給手段の有する各加熱手段を制御することを特徴とする記録媒体加熱装置。
【請求項３】
請求項１又は２の記録媒体加熱装置において、前記複数の熱供給手段の表面温度を検出する温度検出手段、並びに、前記温度検出手段による検出結果、及び、前記記録媒体の条件に応じて決定した前記複数の熱供給手段の表面温度の目標温度の情報を用いて、前記複数の熱供給手段の各々の表面温度が前記目標温度となるように前記加熱手段を制御する制御手段を備えることを特徴とする記録媒体加熱装置。
【請求項４】
請求項１乃至３のいずれか一の記録媒体加熱装置と、前記記録媒体加熱装置の前記搬送経路上流に設けられ、前記記録媒体にインク液又は前処理液を塗布する前処理装置と、前記記録媒体加熱装置の前記搬送経路下流に設けられ、前記記録媒体を巻き取る又は任意の大きさにカットする後処理装置とを有することを特徴とした記録媒体乾燥システム。
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
木製パレットと組み合わせたパレット保護装置において：
ａ）前記木製パレットが、一組の上側デッキボードの下方と、少なくとも１つの下側デッキボードの上方とにより画定される内部空間を有し；
ｂ）前記パレット保護装置が、略平面状前面を有する弾性材料の略平面状表面板を具え、前記表面板が少なくとも２つの略長方形の開口を画定し；これらの表面板の開口の各々が、左側壁と、右側壁と、上側壁とを具える後部が突出した周縁構造を有し；前記上側壁の最左部と最右部とが、それぞれ、前記左側壁および前記右側壁の最上部と連続して一体に形成され；前記左側壁および右側壁が、前記上側壁に対して９０度の角度であって、前記上側壁を前記表面板に固定して強化するように前記上側壁に連結しており；各々の前記後部が突出した構造が、前記パレットのタイン受け入れ口内に密接に嵌るような大きさ、構成、および形状であり；前記側壁は、使用時に、少なくとも前記上側壁が前記パレットの内部空間の中に、少なくとも前記パレットの一組の上側デッキボードのうちの先頭の上側デッキボードに対して保護を提供するのに有効な距離まで延び；この組み合わせは組み立てられたときに、前記保護装置のどの部分も、前記パレットの上側デッキボードの上面を超えて上側に延びることはなく、前記保護装置のどの部分も、前記少なくとも１つの下側デッキボードの下面の下に下側へ延びることはないように嵌る結果となり；
ｃ）前記パレット保護装置を取り外しても、前記木製パレットは標準的に機能するパレットのままであり；前記パレット保護装置の取付にあたって、前記木製パレットは構造的変形を必要とせず；
ｄ）前記パレット保護装置を前記木製パレットに固定するためには、前記表面板を通した留め具以外を必要とせず、当該留め具は、前記上側デッキボードまたは前記下側デッキボードに通す必要はないことを特徴とするパレット保護装置。
【請求項２】
請求項１に記載のパレット保護装置および木製パレットにおいて、前記保護装置がプラスチックからなることを特徴とするパレット保護装置および木製パレット。
【請求項３】
請求項２に記載のパレット保護装置および木製パレットにおいて、前記プラスチックが：リサイクルＨＤＰＥ、ＨＤＰＥ、ポリプロピレン、ポリエチレン、ナイロン６、ナイロン６／６、およびウレタンから選択されることを特徴とするパレット保護装置および木製パレット。
【請求項４】
請求項１に記載のパレット保護装置および木製パレットにおいて、前記保護装置が一体に形成されたプラスチック部品から実質的に構成されることを特徴とするパレット保護装置および木製パレット。
【請求項５】
請求項４に記載のパレット保護装置および木製パレットにおいて、前記プラスチック部品が、ポリプロピレンを含むことを特徴とするパレット保護装置および木製パレット。
【請求項６】
請求項１に記載のパレット保護装置および木製パレットにおいて、前記表面板の少なくとも一部が、前記パレットと前記保護装置とが互いに取り付けられたときに、タインを前記パレットから離れるように偏向させるのに有効な傾斜した縁部を有することを特徴とするパレット保護装置および木製パレット。
【請求項７】
請求項１に記載のパレット保護装置および木製パレットにおいて、前記表面板の厚みが約３／１６インチから約１／２インチの間であることを特徴とするパレット保護装置および木製パレット。
【請求項８】
請求項１に記載のパレット保護装置および木製パレットにおいて、前記保護装置の上側壁は、前記パレットと前記保護装置とが互いに取り付けられたときに、前記表面板の主な面から前記パレットの内部空間の中へ、少なくとも前記先頭の上側デッキボードの幅付近まで後方に延びることを特徴とするパレット保護装置および木製パレット。
【手続補正書】
【提出日】平成29年10月12日(2017.10.12)
【手続補正１】
【補正対象書類名】明細書
【補正対象項目名】０００４
【補正方法】変更
【補正の内容】
【０００４】
しかしながら、上記特許文献１に記載された遊技機では、処理時間が長くなる。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
始動入賞口への遊技球の入賞に基づき複数の識別情報を変動表示する変動表示ゲームの結果が特別結果となった場合に、変動入賞装置を閉状態から開状態へ変換して遊技者に遊技価値を付与可能な特別遊技状態を発生可能な制御手段を備えた遊技機において、
前記始動入賞口は、第１始動入賞口と、該第１始動入賞口とは異なる位置に配設された第２始動入賞口と、を備え、
前記制御手段は、
所定周期で開始される割込みルーチンを実行可能であり、
前記第１始動入賞口への遊技球の入賞に基づく第１変動表示ゲームを表示可能な第１変動表示手段と、
前記第２始動入賞口への遊技球の入賞に基づく第２変動表示ゲームを表示可能な第２変動表示手段と、
前記第１始動入賞口への遊技球の入賞に基づき所定の乱数を抽出し、該所定の乱数を第１始動記憶として所定の上限数まで記憶可能な第１始動記憶手段と、
前記第１始動記憶手段に記憶された第１始動記憶に基づき、前記第１変動表示ゲームの結果及び変動態様情報を当該第１変動表示ゲームの開始以前に決定し、当該決定結果に基づいて前記第１変動表示ゲームに関する一連の実行制御を行うことが可能な第１変動表示ゲーム実行制御手段と、
前記第２始動入賞口への遊技球の入賞に基づき所定の乱数を抽出し、当該所定の乱数に基づき、前記第２変動表示ゲームの結果及び変動態様情報を当該第２変動表示ゲームの開始以前に決定し、当該決定結果に基づいて前記第２変動表示ゲームに関する一連の実行制御を行うことが可能な第２変動表示ゲーム実行制御手段と、
を備え、
前記第１変動表示ゲーム制御手段によって前記第１変動表示ゲームが実行されている場合であっても前記第２変動表示ゲーム制御手段による前記第２変動表示ゲームを実行可能であるとともに、前記第２変動表示ゲーム制御手段によって前記第２変動表示ゲームが実行されている場合であっても前記第１変動表示ゲーム制御手段による前記第１変動表示ゲームを実行可能であり、
前記第１変動表示ゲーム制御手段による前記第１変動表示ゲームに関する一連の実行制御と、前記第２変動表示ゲーム制御手段による前記第２変動表示ゲームに関する一連の実行制御と、を一の割込みルーチン内で同時に実行しないようにしたことを特徴とする遊技機。
【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
人が着座するシートクッションと前記シートクッションの後端に立設されたシートバックと前記シートバックの表面を覆うトリムカバーとを備え、エアバッグ袋体と前記エアバッグ袋体の周囲に設けられ一端部が前記トリムカバーの展開部に縫製された力布とを有するサイドエアバッグが前記シートバックの側部に設けられ、前記エアバッグ袋体は膨張することにより前記展開部を裂開してシートバックの外側に膨出する車両用シートにおいて、
前記力布は、前記トリムカバーに縫製される一端部に、末端が折り返された折り返し縫製部を備え、
前記折り返し縫製部は、前記力布が折り返されて重なり合う重複部と、前記トリムカバーに縫製される縫い線に沿う方向において前記重複部の端部に設けられた非重複部とを有し、
前記折り返し縫製部は、前記トリムカバーに対して、前記重複部と前記非重複部とに跨って縫製されたことを特徴とする車両用シート。
【請求項２】
請求項1に記載の車両用シートにおいて、
前記トリムカバーは、前記シートバックの前面側に配されたメイン部と、前記シートバックの側面側に配されたまち部とを有し、
前記展開部は、前記メイン部と前記まち部とが縫い糸により縫製されて構成され、
前記力布は、前記メイン部に縫製された第一の力布と、前記まち部に縫製された第二の力布とを有し、
前記第一の力布と前記メイン部との縫製部は、前記展開部を縫製する縫い糸に対して、前記第一の力布に設けられた折り返し縫製部の折り山側に位置し、
前記第二の力布と前記まち部との縫製部は、前記展開部を縫製する縫い糸に対して、前記第二の力布に設けられた折り返し縫製部の折り山側に位置することを特徴とする車両用シート。
【請求項３】
請求項２に記載の車両用シートにおいて、
前記非重複部は、前記力布の一方の縁に設けられた三角形状部によって構成され、
前記折り返し縫製部の前記折り山は、前記三角形状部の一辺に一致していることを特徴とする車両用シート。
【請求項４】
請求項３に記載の車両用シートにおいて、
前記力布の他方の縁に三角形状の突状部を有し、
前記折り山は、前記突状部を形成する三角形状の頂点を通ることを特徴とする車両用シート。
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
表示装置の表示を、運転席の前方に設置された反射板に投影させるようにしたヘッドアップディスプレイ装置であって、
前記表示装置が、向きの異なる複数の表示面を有しており、
少なくとも１つの表示面が、表示を縦向きに投影させる基準表示面とされていると共に、
他の表示面が、前記基準表示面の表示に対して、傾斜した表示を投影させる立体視用傾斜表示面とされており、
前記複数の表示面は、それぞれの表示が前方の反射板に直接反射されていることを特徴とするヘッドアップディスプレイ装置。
【請求項２】
請求項１に記載のヘッドアップディスプレイ装置であって、
前記立体視用傾斜表示面が、走行経路を表示可能な経路表示部を有していることを特徴とするヘッドアップディスプレイ装置。
【請求項３】
請求項２に記載のヘッドアップディスプレイ装置であって、
前記立体視用傾斜表示面が、前記基準表示面の表示に対して、前記走行経路を前傾した状態に表示可能な立体視用傾斜角度を有して傾斜配置されていることを特徴とするヘッドアップディスプレイ装置。
【請求項４】
請求項２にまたは請求項３に記載のヘッドアップディスプレイ装置であって、
前記経路表示部は、走行経路の手前側の輝度が奥側の輝度よりも高くなる輝度差を有していることを特徴とするヘッドアップディスプレイ装置。
【請求項５】
請求項２ないし請求項４のいずれか１項に記載のヘッドアップディスプレイ装置であって、
前記経路表示部は、走行経路の手前側が奥側よりも線が太くなる線幅差を有していることを特徴とするヘッドアップディスプレイ装置。
【請求項６】
請求項２ないし請求項５のいずれか１項に記載のヘッドアップディスプレイ装置であって、
前記経路表示部は、走行経路の手前側の輝度が奥側の輝度よりも高くなる輝度差を有すると共に、走行経路の手前側が奥側よりも線が太くなる線幅差を有していることを特徴とするヘッドアップディスプレイ装置。
【請求項７】
請求項２ないし請求項６のいずれか１項に記載のヘッドアップディスプレイ装置であって、
少なくとも前記経路表示部が、複数の表示形成部の点灯・消灯によって複数種類の表示を作り出せるようにしたセグメント型表示部とされていることを特徴とするヘッドアップディスプレイ装置。
【請求項８】
請求項１ないし請求項７のいずれか１項に記載のヘッドアップディスプレイ装置であって、
前記基準表示面が、数値を表示可能な数値表示部を有していることを特徴とするヘッドアップディスプレイ装置。
【請求項９】
請求項１ないし請求項８のいずれか１項に記載のヘッドアップディスプレイ装置であって、
前記複数の表示面が、同じランプハウジングに隣接して設けられた傾斜角度の異なる面に対してそれぞれ設置されていることを特徴とするヘッドアップディスプレイ装置。
【請求項１０】
表示装置の表示を、運転席の前方に設置された反射板に投影させるようにしたヘッドアップディスプレイ装置であって、
前記表示装置が、向きの異なる複数の表示面を有しており、
該複数の表示面が、同じランプハウジングに隣接して設けられた傾斜角度の異なる面に対してそれぞれ設置されていることを特徴とするヘッドアップディスプレイ装置。
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
操舵トルク及び車速に基づいてモータを駆動して操舵系をアシスト制御すると共に、自動操舵モードと手動操舵モードとを切り換える機能を有する電動パワーステアリング装置において、
前記操舵トルクの絶対値Ｔｈａが、予め設定されたトルク閾値Ｔｔｈ以上であるか否かを判定する第１の判定部と、
前記絶対値Ｔｈａが前記トルク閾値Ｔｔｈ以上となっている積分入力値Ｃtaの全体を積分して積分出力値Ｉｏｕｔを演算する積分演算部と、
前記積分出力値Ｉｏｕｔが積分閾値Ｓｔｈ以上であるか否かを判定する第２の判定部と、
前記第２の判定部が、前記積分出力値Ｉｏｕｔが前記積分閾値Ｓｔｈ以上であると判定した場合に、前記自動操舵モードから前記手動操舵モードへ切り換える切換部とを備え、
前記第１の判定部は、前記自動操舵モード中である場合で、かつ前記絶対値Ｔｈａが前記トルク閾値Ｔｔｈ以上であると判定した時点で前記積分演算部が積分演算を開始し、前記第２の判定部が、前記積分出力値Ｉｏｕｔが前記積分閾値Ｓｔｈに達したことを判定した時点に、前記切換部が前記自動操舵モードを前記手動操舵モードに切り換えることを特徴とする電動パワーステアリング装置。
【請求項２】
前記第１の判定部は、前記自動操舵モード中である場合で、かつ前記絶対値Ｔｈａが前記トルク閾値Ｔｔｈ以上であると判定した時点で前記積分演算部が積分演算を開始し、前記絶対値Ｔｈａが前記トルク閾値Ｔｔｈを越えても、前記絶対値Ｔｈａが前記トルク閾値Ｔｔｈよりも小さい時には前記自動操舵モードを継続し、前記絶対値Ｔｈａが前記トルク閾値Ｔｔｈを下回った時点で、前記積分演算部が積分演算を停止する請求項１に記載の電動パワーステアリング装置。
【請求項３】
前記積分閾値Ｓｔｈを可変することで、前記自動操舵モードを前記手動操舵モードの切り換え判定を早くするようになっている請求項１又は２に記載の電動パワーステアリング装置。
【手続補正２】
【補正対象書類名】明細書
【補正対象項目名】００１７
【補正方法】変更
【補正の内容】
【００１７】
本発明は、操舵トルク及び車速に基づいてモータを駆動して操舵系をアシスト制御すると共に、自動操舵モードと手動操舵モードとを切り換える機能を有する電動パワーステアリング装置に関し、本発明の上記目的は、前記操舵トルクの絶対値Ｔｈａが、予め設定されたトルク閾値Ｔｔｈ以上であるか否かを判定する第１の判定部と、前記絶対値Ｔｈａが前記トルク閾値Ｔｔｈ以上となっている積分入力値Ｃtaの全体を積分して積分出力値Ｉｏｕｔを演算する積分演算部と、前記積分出力値Ｉｏｕｔが積分閾値Ｓｔｈ以上であるか否かを判定する第２の判定部と、前記第２の判定部が、前記積分出力値Ｉｏｕｔが前記積分閾値Ｓｔｈ以上であると判定した場合に、前記自動操舵モードから前記手動操舵モードへ切り換える切換部とを備え、前記第１の判定部は、前記自動操舵モード中である場合で、かつ前記絶対値Ｔｈａが前記トルク閾値Ｔｔｈ以上であると判定した時点で前記積分演算部が積分演算を開始し、前記第２の判定部が、前記積分出力値Ｉｏｕｔが前記積分閾値Ｓｔｈに達したことを判定した時点に、前記切換部が前記自動操舵モードを前記手動操舵モードに切り換えることにより達成される。
【手続補正３】
【補正対象書類名】明細書
【補正対象項目名】００１８
【補正方法】変更
【補正の内容】
【００１８】
また、本発明の上記目的は、前記第１の判定部は、前記自動操舵モード中である場合で、かつ前記絶対値Ｔｈａが前記トルク閾値Ｔｔｈ以上であると判定した時点で前記積分演算部が積分演算を開始し、前記絶対値Ｔｈａが前記トルク閾値Ｔｔｈを越えても、前記絶対値Ｔｈａが前記トルク閾値Ｔｔｈよりも小さい時には前記自動操舵モードを継続し、前記絶対値Ｔｈａが前記トルク閾値Ｔｔｈを下回った時点で、前記積分演算部が積分演算を停止することにより、或いは前記積分閾値Ｓｔｈを可変することで、前記自動操舵モードを前記手動操舵モードの切り換え判定を早くするようになっていることにより、より効果的に達成される。
【手続補正４】
【補正対象書類名】明細書
【補正対象項目名】００３８
【補正方法】変更
【補正の内容】
【００３８】
既に入力（ステップＳ６）されている操舵トルクＴｈを読み取り（ステップＳ２０１）、ＬＰＦ３０１でノイズ除去を行い（ステップＳ２０２）、絶対値部３０２でＬＰＦ３０１からの操舵トルクＴｈａの絶対値｜Ｔｈａ｜を求める（ステップＳ２０３）。トルク値比較部３０３にはトルク閾値Ｔｔｈが予め入力されており、トルク値比較部３０３は絶対値｜Ｔｈａ｜がトルク閾値Ｔｔｈ以上であるか否かを判定し（ステップＳ２０４）、絶対値｜Ｔｈａ｜がトルク閾値Ｔｔｈ以上である場合には、出力信号Ｃｔを絶対値｜Ｔｈａ｜として積分演算部３０５に入力し、積分演算部３０５で積分動作を行う（ステップＳ２０５）。また、絶対値｜Ｔｈａ｜がトルク閾値Ｔｔｈよりも小さい場合には、出力信号Ｃｔを０にして積分動作をしないようにすると共に、過去値初期化信号Ｐｉを出力して積分演算部３０５を初期化する（ステップＳ２０６）。初期化は積分演算部３０５内の過去値保持部（Ｚ−１）を０にリセットすることにより行われる。
【手続補正５】
【補正対象書類名】明細書
【補正対象項目名】００４０
【補正方法】変更
【補正の内容】
【００４０】
図７は、トルク閾値Ｔｔｈに対する操舵トルクＴｈ（Ｔｈａ）の時間変化の一例を積分動作の関連で示しており、スタートから時点ｔ１までは操舵トルクＴｈがトルク閾値Ｔｔｈよりも小さいので積分は行われない。時点ｔ１から時点ｔ２までの間は、操舵トルクＴｈがトルク閾値Ｔｔｈ以上であるので積分が行われるが、積分値が積分閾値Ｓｔｈよりも小さいので切換条件は不成立となっている。そして、時点ｔ２から時点ｔ３までは操舵トルクＴｈがトルク閾値Ｔｔｈよりも小さいので積分は行われず、時点ｔ３以降は操舵トルクＴｈがトルク閾値Ｔｔｈ以上であるので積分が行われる。時点ｔ４において積分値が所定値（積分閾値Ｓｔｈ）以上となり、切換条件が成立する様子を示している。つまり、図７の斜線部が積分領域（面積）となっているが、時点ｔ２においては積分値が積分閾値Ｓｔｈよりも小さくて切換条件は不成立、時点ｔ４において積分値が積分閾値Ｓｔｈ以上となり、切換条件が成立する例を示している。
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
車両（ＶＨ）のキャビン（ＶＣ）に空気流を供給する送風装置（１０）であって、
空気流を生成する送風機（１１２）と、
前記送風機により生成される空気流が内部に導入されるとともに、空気流を沿わせて流す外面（１２７）を有するダクト（１２）と、
前記ダクトに形成されるとともに、第１方向を長手方向とするスリット状をなし、前記ダクトの内部の空気流を前記ダクトの前記外面に沿わせて前記第１方向と交差する第２方向に向けて吹き出す吹出口（１２０）と、
前記ダクトに形成されるとともに、前記吹出口よりも前記第２方向側に配置され、前記吹出口から吹き出される空気流の向きを前記第１方向及び前記第２方向に交差する第３方向に偏向可能なガイド面（１４１ａ，１４２ａ，１６０ａ，１４１１ａ，１４１２ａ，１４１３ａ）と、を備え、
前記吹出口は、前記ガイド面と対をなすように配置され、且つ分割された複数の分割吹出口（１２１，１２２，１２１ａ，１２１ｂ，１２２ａ，１２２ｂ，１２１１，１２１２，１２１３）からなり、
前記分割吹出口の長手方向における前記ガイド面の長さは、前記分割吹出口の長手方向の長さよりも長い
送風装置。
【請求項２】
前記ガイド面は、回転可能に支持されるフラップ（１４１，１４２，１４１１，１４１２，１４１３）に形成されている
請求項１に記載の送風装置。
【請求項３】
前記吹出口は、前記ダクトの第１壁面（１２３）と、当該第１壁面に対して前記第３方向に配置される前記ダクトの第２壁面（１２４）との間の隙間に形成され、
前記第１壁面及び前記第２壁面は、前記吹出口を跨ぐように配置されるリブ（１５１）により互いに連結され、
前記吹出口は、前記リブにより分割されている
請求項１又は２に記載の送風装置。
【請求項４】
前記吹出口は、前記送風機に近い側から順に第１分割吹出口（１２１）と第２分割吹出口（１２２）とに分割され、
前記ガイド面は、
前記第１分割吹出口よりも前記第２方向側に配置され、前記第１分割吹出口から吹き出される空気流を前記キャビンの第１位置に供給するとともに、当該空気流の向きを偏向する第１ガイド面（１４１ａ）と、
前記第２分割吹出口よりも前記第２方向側に配置され、前記第２分割吹出口から吹き出される空気流を、前記キャビンにおいて前記第１位置よりも前記吹出口に近い第２位置に空気流を供給するとともに、当該空気流の向きを偏向する第２ガイド面（１４２ａ）と、からなる
請求項１〜３のいずれか一項に記載の送風装置。
【請求項５】
前記第１分割吹出口の長手方向は、前記第２分割吹出口の長手方向と交差する方向である
請求項４に記載の送風装置。
【請求項６】
前記分割吹出口は、前記ガイド面の一つ当たりに対して複数配置されている
請求項１〜５のいずれか一項に記載の送風装置。
【請求項７】
前記ガイド面は、前記第２方向において前記分割吹出口の全てと対をなすように複数配置されている
請求項１〜６のいずれか一項に記載の送風装置。
【請求項８】
前記ガイド面は、前記第２方向において前記分割吹出口の一部と対をなすように単数又は複数配置されている
請求項１〜６のいずれか一項に記載の送風装置。
【手続補正２】
【補正対象書類名】明細書
【補正対象項目名】０００６
【補正方法】変更
【補正の内容】
【０００６】
上記課題を解決するために、車両（ＶＨ）のキャビン（ＶＣ）に空気流を供給する送風装置（１０）は、送風機（１１２）と、ダクト（１２）と、吹出口（１２０）と、ガイド面（１４１ａ，１４２ａ，１６０ａ，１４１１ａ，１４１２ａ，１４１３ａ）とを備える。送風機は、空気流を生成する。ダクトは、送風機により生成される空気流が内部に導入されるとともに、空気流を沿わせて流す外面（１２７）を有する。吹出口は、ダクトに形成されるとともに、第１方向を長手方向とするスリット状をなし、ダクトの内部の空気流をダクトの外面に沿わせて第１方向と交差する第２方向に向けて吹き出す。ガイド面は、ダクトに形成されるとともに、吹出口よりも第２方向側に配置され、吹出口から吹き出される空気流の向きを第１方向及び第２方向に交差する第３方向に偏向することが可能である。吹出口は、ガイド面と対をなすように配置され、且つ分割された複数の分割吹出口（１２１，１２２，１２１ａ，１２１ｂ，１２２ａ，１２２ｂ，１２１１，１２１２，１２１３）からなり、分割吹出口の長手方向におけるガイド面の長さは、分割吹出口の長手方向の長さよりも長い。
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
遊技球が流下する遊技領域が形成された遊技盤と、
前記遊技領域に設けられ、遊技球が進入可能な始動領域と、
前記始動領域に遊技球が進入すると、大入賞口が開放される大役遊技が実行可能となる大当たり結果、および、該大役遊技を実行しないとするハズレ結果を含む抽選結果を導出するための大役遊技決定用乱数値、および、変動情報を決定するための変動情報用乱数値を保留情報として取得し、該保留情報を記憶部に記憶する乱数取得手段と、
予め設定された始動条件の成立により、前記記憶部に記憶された保留情報としての前記大役遊技決定用乱数値を読み出して、前記抽選結果を導出する抽選手段と、
前記抽選手段によって導出された抽選結果、および、該抽選結果が導出された前記大役遊技決定用乱数値とともに前記保留情報として記憶された変動情報用乱数値に基づいて、前記変動情報を決定する変動情報決定手段と、
前記変動情報決定手段によって決定される前記変動情報と同一もしくは対応する事前判定情報を、前記抽選手段が前記抽選結果を導出するよりも前に導出する事前判定手段と、
少なくとも前記変動情報決定手段によって決定された変動情報、および、前記事前判定手段によって導出された事前判定情報に基づいて、前記変動演出の実行パターンを決定する演出決定手段と、
前記演出決定手段によって決定された実行パターンで前記変動演出を実行制御する演出実行手段と、
を備え、
前記演出決定手段は、
前記変動情報決定手段によって決定された変動情報が所定の特定変動情報であった場合に、前記変動演出の実行パターンを特定実行パターンに決定し、
前記保留情報の中に、前記特定変動情報と同一もしくは対応する特定事前判定情報が導出された特定保留情報が記憶されており、かつ、該特定保留情報の１つ前に読み出された特定前保留情報に基づいて、前記抽選手段によって前記ハズレ結果が導出されるとともに所定のハズレ変動情報が決定された場合に、該特定前保留情報についての変動演出の実行パターンを、前記特定実行パターンの変動演出が実行されることを示唆する特殊演出を少なくとも一部に含む特殊実行パターンに決定することを特徴とする遊技機。
【請求項２】
前記特殊演出は、所定の構成時間により構成されており、
前記所定のハズレ変動情報には、前記特殊演出の構成時間よりも長い変動時間が規定され、
前記演出実行手段は、
前記特殊演出を、変動演出の終了から前記構成時間だけ遡った時間から実行することを特徴とする請求項１に記載の遊技機。
【請求項３】
前記演出実行手段は、
前記特殊演出として、所定時間で構成される演出を前記構成時間に亘って繰り返し実行することを特徴とする請求項１または２に記載の遊技機。
【請求項４】
前記変動演出の実行パターンには、発展演出が実行される発展実行パターンが含まれ、
前記発展実行パターンには、所定の構成時間からなる１または複数の第１実行パターンと、互いに構成時間を異にし、いずれかの該第１実行パターンの構成時間以上の構成時間からなる複数の第２実行パターンとが含まれ、
前記演出決定手段は、
前記変動情報決定手段により前記変動情報として第２変動情報が決定された場合に、前記発展演出の実行パターンとして、複数の前記第２実行パターンのうちのいずれかを決定し、
前記第２実行パターンによる前記発展演出の実行が決定されており、かつ、該発展演出の開始前の予め設定された時期に所定の差替条件が成立している場合、該第２実行パターンの種類に拘わらず、該第２実行パターンから、該第２実行パターンの構成時間以下の構成時間の第１実行パターンに差し替えて該発展演出を実行する決定をするとともに、該第２実行パターンおよび該第１実行パターンの構成時間に差分が生じる場合には、差分の時間に拘わらず、該差分を埋める所定の尺吸収演出の実行を決定し、
前記特殊演出では、前記尺吸収演出と同一の演出が実行されることを特徴とする請求項１から３のいずれか１項に記載の遊技機。
【手続補正２】
【補正対象書類名】明細書
【補正対象項目名】０００７
【補正方法】変更
【補正の内容】
【０００７】
上記課題を解決するために、本発明の遊技機は、遊技球が流下する遊技領域が形成された遊技盤と、前記遊技領域に設けられ、遊技球が進入可能な始動領域と、前記始動領域に遊技球が進入すると、大入賞口が開放される大役遊技が実行可能となる大当たり結果、および、該大役遊技を実行しないとするハズレ結果を含む抽選結果を導出するための大役遊技決定用乱数値、および、変動情報を決定するための変動情報用乱数値を保留情報として取得し、該保留情報を記憶部に記憶する乱数取得手段と、予め設定された始動条件の成立により、前記記憶部に記憶された保留情報としての前記大役遊技決定用乱数値を読み出して、前記抽選結果を導出する抽選手段と、前記抽選手段によって導出された抽選結果、および、該抽選結果が導出された前記大役遊技決定用乱数値とともに前記保留情報として記憶された変動情報用乱数値に基づいて、前記変動情報を決定する変動情報決定手段と、前記変動情報決定手段によって決定される前記変動情報と同一もしくは対応する事前判定情報を、前記抽選手段が前記抽選結果を導出するよりも前に導出する事前判定手段と、少なくとも前記変動情報決定手段によって決定された変動情報、および、前記事前判定手段によって導出された事前判定情報に基づいて、前記変動演出の実行パターンを決定する演出決定手段と、前記演出決定手段によって決定された実行パターンで前記変動演出を実行制御する演出実行手段と、を備え、前記演出決定手段は、前記変動情報決定手段によって決定された変動情報が所定の特定変動情報であった場合に、前記変動演出の実行パターンを特定実行パターンに決定し、前記保留情報の中に、前記特定変動情報と同一もしくは対応する特定事前判定情報が導出された特定保留情報が記憶されており、かつ、該特定保留情報の１つ前に読み出された特定前保留情報に基づいて、前記抽選手段によって前記ハズレ結果が導出されるとともに所定のハズレ変動情報が決定された場合に、該特定前保留情報についての変動演出の実行パターンを、前記特定実行パターンの変動演出が実行されることを示唆する特殊演出を少なくとも一部に含む特殊実行パターンに決定する。
【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
入力装置を有する第一のクライアント装置と通信接続が可能なサーバ装置において実行されるゲームプログラムであって、
サーバ装置を、
第一のクライアント装置にて操作が可能な第一のプレイヤキャラクタにゲーム内で活用が可能な特典を付与する特典付与手段、
第一のプレイヤキャラクタに達成させる課題を設定する課題設定手段、
課題設定手段により課題が設定されると、特典付与手段により付与される特典を減じる又は特典を付与しない状態に設定する状態設定手段、
第一のプレイヤによる第一のクライアント装置の入力装置への操作指示に応じて、課題設定手段により設定された課題を達成するためのゲームを進行するゲーム進行手段、
ゲーム進行手段によりゲームが進行し、課題設定手段により設定された課題が達成されると、状態設定手段により設定された状態を解除する状態解除手段
として機能させ、
特典付与手段が、状態設定手段により付与される特典を減じる又は特典を付与しない状態に設定されている場合に、第一のプレイヤキャラクタに、該状態の設定前と比較して特典を減じて付与する、又は、特典を付与しない、ゲームプログラム。
【請求項２】
サーバ装置を、さらに、
第一のプレイヤキャラクタの強さの度合いを示す第一のレベルに応じた難易度を決定する難易度決定手段
として機能させ、
課題設定手段が、難易度決定手段により決定された難易度の課題を設定する、
請求項１に記載のゲームプログラム。
【請求項３】
サーバ装置を、さらに、
課題設定手段により課題が設定されると、前記難易度に応じて、状態設定手段により設定された状態において特典付与手段により付与される特典を減じる度合いを決定する状態決定手段
として機能させ、
特典付与手段が、状態決定手段により決定した度合いに応じて減じた特典を、第一のプレイヤキャラクタに付与する、請求項２に記載のゲームプログラム。
【請求項４】
課題設定手段が、第一のプレイヤキャラクタ及び第二のプレイヤキャラクタに達成させる課題を設定するものであって、
サーバ装置を、さらに、
第二のクライアント装置にて操作が可能な第二のプレイヤキャラクタを、課題設定手段により設定された課題を達成するためのゲームに参加させるゲーム参加手段
として機能させ、
ゲーム進行手段が、第一のプレイヤによる第一のクライアント装置の入力装置への操作指示、及び、第二のプレイヤによる第二のクライアント装置の入力装置への操作指示に応じてゲームを進行する、請求項２又は３に記載のゲームプログラム。
【請求項５】
サーバ装置を、さらに、
ゲーム進行手段によりゲームが進行し、課題設定手段により設定された課題が達成されると、第二のプレイヤキャラクタに追加特典を付与する追加特典付与手段
として機能させる、請求項４に記載のゲームプログラム。
【請求項６】
特典付与手段が、状態設定手段により状態が設定されてからの時間の経過に応じて、状態において特典付与手段により付与される特典を減じる度合いを変化させる、請求項１〜５のいずれかに記載のゲームプログラム。
【請求項７】
入力装置を有する第一のクライアント装置と、該第一のクライアント装置と通信接続が可能なサーバ装置とを備えるゲームシステムであって、
ゲームシステムが、
第一のクライアント装置にて操作が可能な第一のプレイヤキャラクタにゲーム内で活用が可能な特典を付与する特典付与手段と、
第一のプレイヤキャラクタに達成させる課題を設定する課題設定手段と、
課題設定手段により課題が設定されると、特典付与手段により付与される特典を減じる又は特典を付与しない状態に設定する状態設定手段と、
課題設定手段により設定された課題を達成するためのゲームを進行するゲーム進行手段と、
ゲーム進行手段によりゲームが進行し、課題設定手段により設定された課題が達成されると、状態設定手段により設定された状態を解除する状態解除手段とを備え、
第一のクライアント装置が、第一のプレイヤによる入力装置への操作指示を受け付ける操作指示受付手段を備え、
ゲーム進行手段が、操作指示受付手段により受け付けられた操作指示に応じて、ゲームを進行するものであり、
特典付与手段が、状態設定手段により付与される特典を減じる又は特典を付与しない状態に設定されている場合に、第一のプレイヤキャラクタに、該状態の設定前と比較して特典を減じて付与する、又は、特典を付与しない、ゲームシステム。
【請求項８】
入力装置を有するクライアント装置において実行されるゲームプログラムであって、
クライアント装置を、
第一のプレイヤによる入力装置への操作指示を受け付ける操作指示受付手段、
クライアント装置にて操作が可能な第一のプレイヤキャラクタにゲーム内で活用が可能な特典を付与する特典付与手段、
第一のプレイヤキャラクタに達成させる課題を設定する課題設定手段、
課題設定手段により課題が設定されると、特典付与手段により付与される特典を減じる又は特典を付与しない状態に設定する状態設定手段、
操作指示受付手段により受け付けられた操作指示に応じて、課題設定手段により設定された課題を達成するためのゲームを進行するゲーム進行手段、
ゲーム進行手段によりゲームが進行し、課題設定手段により設定された課題が達成されると、状態設定手段により設定された状態を解除する状態解除手段
として機能させ、
特典付与手段が、状態設定手段により付与される特典を減じる又は特典を付与しない状態に設定されている場合に、第一のプレイヤキャラクタに、該状態の設定前と比較して特典を減じて付与する、又は、特典を付与しない、ゲームプログラム。
【手続補正２】
【補正対象書類名】明細書
【補正対象項目名】０００５
【補正方法】変更
【補正の内容】
【０００５】
本発明の少なくとも１つの実施の形態の目的は、プレイヤキャラクタ同士がパーティを組んでゲームを進行していくための動機づけが十分に付与された、ゲームプログラム、ゲームシステム及びゲーム進行方法を提供することである。また、本発明の本発明の少なくとも１つの実施の形態の目的は、ゲームにおいて設定された課題をプレイヤキャラクタに達成させるための十分な必要性が付与された、ゲームプログラム、ゲームシステム及びゲーム進行方法を提供することである。
【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
所定のスイッチ信号に起因して抽選処理を実行して、遊技動作を中心統括的に制御する主制御手段と、主制御手段から出力される制御コマンドに基づいて演出動作を制御する演出制御手段と、交流電圧に基づいて生成した直流電圧を、主制御手段及びサブ制御手段に供給する電源手段と、を有して構成される遊技機であって、
電源手段は、
交流電圧を整流して基準直流電圧を生成する電源上流部と、
基準直流電圧を受けて、主制御手段で使用される直流電圧を生成する第一電源部と、
基準直流電圧を受けて、サブ制御手段で使用される直流電圧を生成する第二電源部と、を有して構成され、
前記演出制御手段は、
音声演出動作を含んだ各種の演出制御動作を制御する制御コンピュータ手段と、
制御コンピュータ手段の制御プログラムを不揮発的に記憶するプログラム記憶手段と、
制御コンピュータ手段からの指示に基づいて、音声演出に必要な音声信号を再生する再生コンピュータ手段と、
前記音声信号の基礎データを不揮発的に記憶する音声データ記憶手段と、
第二電源部から受ける所定レベルの直流電圧に基づいて、５Ｖより低レベルの電源電圧を生成して、制御コンピュータ手段と再生コンピュータ手段に供給する電圧生成手段と、
前記所定レベルの直流電圧に基づいてリセット信号を生成するリセット手段と、を有して構成され、
前記所定レベルの直流電圧の降下時には、制御コンピュータ手段と再生コンピュータ手段が、前記リセット信号に基づいてリセット状態に制御されるよう構成されていることを特徴とする遊技機。
【手続補正２】
【補正対象書類名】明細書
【補正対象項目名】０００８
【補正方法】変更
【補正の内容】
【０００８】
上記の課題を解決するため、本発明は、所定のスイッチ信号に起因して抽選処理を実行して、遊技動作を中心統括的に制御する主制御手段と、主制御手段から出力される制御コマンドに基づいて演出動作を制御する演出制御手段と、交流電圧に基づいて生成した直流電圧を、主制御手段及びサブ制御手段に供給する電源手段と、を有して構成される遊技機であって、電源手段は、交流電圧を整流して基準直流電圧を生成する電源上流部と、基準直流電圧を受けて、主制御手段で使用される直流電圧を生成する第一電源部と、基準直流電圧を受けて、サブ制御手段で使用される直流電圧を生成する第二電源部と、を有して構成され、前記演出制御手段は、音声演出動作を含んだ各種の演出制御動作を制御する制御コンピュータ手段と、制御コンピュータ手段の制御プログラムを不揮発的に記憶するプログラム記憶手段と、制御コンピュータ手段からの指示に基づいて、音声演出に必要な音声信号を再生する再生コンピュータ手段と、前記音声信号の基礎データを不揮発的に記憶する音声データ記憶手段と、第二電源部から受ける所定レベルの直流電圧に基づいて、５Ｖより低レベルの電源電圧を生成して、制御コンピュータ手段と再生コンピュータ手段に供給する電圧生成手段と、前記所定レベルの直流電圧に基づいてリセット信号を生成するリセット手段と、を有して構成され、前記所定レベルの直流電圧の降下時には、制御コンピュータ手段と再生コンピュータ手段が、前記リセット信号に基づいてリセット状態に制御されるよう構成されている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】